(57)【要約】【課題】例えばインプラント用として用いられる燃料電池において、電解質溶液を強アルカリ性とすることなく、効率的に発電を行うことができる燃料電池を提供する。【解決手段】電解質溶液およびグルコース等の糖燃料を収容する容器１１と、容器１１内に配置され、表面に貴金属が固定された酸化電極１３と、容器１１内に配置された還元電極１４と、酸化電極１３に対向して配置され、負電荷を有するエレクトレット１５とを備える燃料電池１を採用する。【選択図】図１
2011086531.tif 000002
【特許請求の範囲】
【請求項１】
電解質溶液および糖を収容する容器と、
該容器内に配置され、表面に貴金属が固定された第１の電極と、
前記容器内に配置された第２の電極と、
前記第１の電極に対向して配置され、負電荷を有する誘電体とを備える燃料電池。
【請求項２】
電解質溶液および糖を収容する容器と、
該容器内に配置され、表面に貴金属が固定された第１の電極と、
前記容器内に配置された第２の電極と、
前記第１の電極に固定され、負電荷を有する粉末状の誘電体とを備える燃料電池。
【請求項３】
前記第２の電極が、通気性および防水性を有し、前記容器の壁面の一部として形成された請求項１または請求項２に記載の燃料電池。
【請求項４】
前記容器の壁面の少なくとも一部に形成され、通気性および防水性を有する通気部を備える請求項１または請求項２に記載の燃料電池。
【請求項５】
前記通気部が、フッ化炭素樹脂で形成されている請求項４に記載の燃料電池。
【請求項６】
前記容器の壁体が、フッ化炭素樹脂で形成され、
前記通気部が、前記容器の壁体が局所的に薄く形成された部分である請求項５に記載の燃料電池。
【発明の詳細な説明】
【技術分野】
【０００１】
本発明は、グルコース等の糖を燃料として発電を行う燃料電池に関するものである。
【背景技術】
【０００２】
従来、金属触媒によって糖の酸化反応を促進する方式のグルコース−空気燃料電池が知られている（例えば、非特許文献１参照）。
【先行技術文献】
【非特許文献】
【０００３】
【非特許文献１】谷口功（熊本大学）、「グルコース−空気燃料電池」、バイオ電気化学の実際−バイオセンサ・バイオ電池の実用展開−、シーエムシー出版、２００７年３月
【発明の概要】
【発明が解決しようとする課題】
【０００４】
ところで、金属触媒によって糖の酸化反応を促進する場合には、糖を酸化反応させる条件として、金属触媒に水酸基を結合させ、その水酸基によって糖を酸化極に誘引することが必要である。非特許文献１に開示されている燃料電池では、必要な水酸基を得る手段として、電解質溶液に糖を投入した糖水溶液をアルカリ性にして、酸化極近傍を水酸化物イオンがリッチな環境にする方式が採用されている。
【０００５】
しかしながら、この構成は、アルカリ性環境が不適切な用途においては利用できないという問題があった。例えば、生体内にインプラントした医療機器の電源として当該燃料電池を採用した場合、漏洩等によってアルカリ性の糖水溶液が生体に接触する可能性がある。しかし、生体にとって強アルカリ性環境は不適切であるため、インプラント用の燃料電池としては利用できないという不都合があった。
【０００６】
本発明は、上記事情に鑑みてなされたもので、電解質溶液を強アルカリ性とすることなく、効率的に発電を行うことができる燃料電池を提供することを目的とする。
【課題を解決するための手段】
【０００７】
上記目的を達成するために、本発明は以下の手段を採用する。
本発明の第１の態様は、電解質溶液および糖を収容する容器と、該容器内に配置され、表面に貴金属が固定された第１の電極と、前記容器内に配置された第２の電極と、前記第１の電極に対向して配置され、負電荷を有する誘電体とを備える燃料電池である。
【０００８】
本発明の第１の態様によれば、容器内の電解質溶液に溶解されたグルコース等の糖は、第１の電極において、表面に固定された金、銀、白金等の貴金属を触媒として、電子を放出するともに、水素イオンを生成する（酸化）。第１の電極に放出された電子は、第１の電極と第２の電極とを電気的に接続する配線を通って、第２の電極に送られる。生成された水素イオンは、容器内の電解質溶液中を第２の電極近傍に移動する。これにより、第２の電極において、電解質溶液中を移動してきた水素イオンと、第１の電極から送られてきた電子と、電解質溶液中の酸素とが反応して、水が生成される（還元）。上記のように、第１の電極において酸化が行われるともに、第２の電極において還元が行われることで、発電が行われ、これら電極に電気的に接続されたペースメーカ等の機器に電力を供給することができる。
【０００９】
この場合において、誘電体が対向して配置された第１の電極の表面では、誘電体による静電誘導によって、誘電体側においては正電荷が生じ、誘電体と反対側においては負電荷が生じる。正電荷が生じた誘電体側の表面には、静電誘導によって電解質溶液中の水酸化物イオンが集まる。これにより、金属触媒に水酸基を結合させ、糖の酸化反応を促進することができる。
【００１０】
以上のように、本発明の第１の態様によれば、電解質溶液をアルカリ性にしないでも、効率的にグルコース等の糖を酸化して発電を行うことができる。これにより、電解質溶液を中性あるいは弱酸性とすることができ、仮に生体内に埋め込まれた容器から電解質溶液が漏洩した場合にも、生体へのダメージを小さくすることができる。
【００１１】
本発明の第２の態様は、電解質溶液および糖を収容する容器と、該容器内に配置され、表面に貴金属が固定された第１の電極と、前記容器内に配置された第２の電極と、前記第１の電極に固定され、負電荷を有する粉末状の誘電体とを備える燃料電池である。
【００１２】
本発明の第２の態様によれば、容器内の電解質溶液に溶解されたグルコース等の糖は、第１の電極において、表面に固定された金、銀、白金等の貴金属を触媒として、電子を放出するともに、水素イオンを生成する（酸化）。第１の電極に放出された電子は、第１の電極と第２の電極とを電気的に接続する配線を通って、第２の電極に送られる。生成された水素イオンは、容器内の電解質溶液中を第２の電極近傍に移動する。これにより、第２の電極において、電解質溶液中を移動してきた水素イオンと、第１の電極から送られてきた電子と、電解質溶液中の酸素とが反応して、水が生成される（還元）。上記のように、第１の電極において酸化が行われるともに、第２の電極において還元が行われることで、発電が行われ、これら電極に電気的に接続されたペースメーカ等の機器に電力を供給することができる。
【００１３】
この場合において、粉末状の誘電体が固定された第１の電極の表面には、誘電体による静電誘導によって、部分的に正電荷および負電荷が生じる。正電荷が生じた部分には、静電誘導によって電解質溶液中の水酸化物イオンが集まる。これにより、金属触媒に水酸基を結合させ、糖の酸化反応を促進することができる。
【００１４】
したがって、本発明の第２の態様によれば、電解質溶液をアルカリ性にしないでも、効率的にグルコース等の糖を酸化して発電を行うことができる。これにより、電解質溶液を中性あるいは弱酸性とすることができ、仮に生体内に埋め込まれた容器から電解質溶液が漏洩した場合にも、生体へのダメージを小さくすることができる。
【００１５】
上記の第１および第２の態様において、前記第２の電極が、通気性および防水性を有し、前記容器の壁面の一部として形成されていることとしてもよい。
通気性および防水性を有する第２の電極を、容器の壁面の一部として形成することで、容器外から第２の電極を通過してきた酸素を還元反応に用いることができ、効率的に発電を行うことができる。
【００１６】
上記の第１および第２の態様において、前記容器の壁面の少なくとも一部に形成され、通気性および防水性を有する通気部を備えることとしてもよい。
容器の壁面の少なくとも一部に通気部を備えることで、通気部を介して容器内に酸素を供給することができ、第２の電極における水素イオンと電子と酸素との反応（還元反応）を促進することができ、効率的に発電を行うことができる。
【００１７】
上記の第１および第２の態様において、前記通気部が、フッ化炭素樹脂で形成されていることとしてもよい。
通気部を、例えば４フッ化エチレン等のフッ化炭素樹脂で形成することで、容器内からの電解質溶液の漏洩を防止しつつ、容器内へ酸素を供給して、第２の電極における還元反応を促進することができる。
【００１８】
上記の第１および第２の態様において、前記容器の壁体が、フッ化炭素樹脂で形成され、前記通気部が、前記容器の壁体が局所的に薄く形成された部分であることとしてもよい。
このようにすることで、容器内からの電解質溶液の漏洩を防止しつつ、容器内の第２の電極へ酸素の供給量を増加させることができ、第２の電極における還元反応、すなわち発電の効率を向上することができる。また、容器と通気部との界面を無くすことができ、容器を生体に埋め込んだ際の安全性を向上することができる。
【発明の効果】
【００１９】
本発明によれば、電解質溶液を強アルカリ性とすることなく、効率的に発電を行うことができるという効果を奏する。
【図面の簡単な説明】
【００２０】
【図１】本発明の第１の実施形態に係る燃料電池の概略構成図である。
【図２】図１の酸化電極近傍での挙動を説明する模式図である。
【図３】図１の酸化電極近傍での挙動を説明する模式図ある。
【図４】本発明の第２の実施形態に係る燃料電池の概略構成図である。
【図５】図４の酸化電極近傍での挙動を説明する模式図である。
【発明を実施するための形態】
【００２１】
［第１の実施形態］
以下、本発明の第１の実施形態に係る燃料電池１について図面を参照して説明する。
本実施形態に係る燃料電池１は、図１に示すように、電解質溶液および糖を収容する容器１１と、容器１１内に配置された酸化電極（第１の電極）１３と、容器１１の壁体の一部として形成された還元電極（第２の電極）１４と、酸化電極１３に対向して配置されたエレクトレット（誘電体）１５とを備えている。
【００２２】
容器１１は、例えばポリプロピレン等の電気絶縁性と生体適合性とを兼ね備えた材料で構成された密閉容器であり、その内部に、略中性の電解質溶液にグルコース等の糖を溶解させた燃料溶液１２を収容するようになっている。この燃料溶液１２は、水素イオンと水酸化物イオンが平衡状態に保たれている。
【００２３】
ここで、電解質溶液は、例えば、高カロリー輸液や、電解質輸液製剤維持液で構成されている。具体的には、例えば、テルモ（株）のハイカリックＲＦ輸液、ソルデム３Ａ輸液、大塚製薬（株）のＫＮ３号輸液などである。電解質溶液のｐＨは、例えば血液と同じｐＨ（ｐＨ７．３５〜７．４５）である。
【００２４】
酸化電極１３は、吸水性のある多孔質炭素繊維に、直径数ｎｍの金等の貴金属の粒子を固定化して構成されている。また、酸化電極１３は、金または金メッキされた金属によって構成してもよい。酸化電極１３では、後述するように、グルコースの酸化反応が行われる。なお、酸化電極１３は、白金や銅等の粒子を固定化して構成することとしてもよい。
また、酸化電極１３には導線１７が接続されており、導線１７の他端には、ペースメーカ等の体内に埋め込まれる医療機器に接続するための接続端子２１が設けられている。
【００２５】
還元電極１４は、例えば空気亜鉛電池で利用されている空気極と同じ構成を有しており、容器１１の壁体の一部として形成されている。具体的には、還元電極１４は、一方の面に固定された酸化マンガン触媒を燃料溶液１２に浸漬し、他方の面を図示しない通気防水シート（通気部）を介して容器１１外部の酸素に接触するように配置されている。通気防水シートは、通気性および防水性を有しており、例えばポリテトラフルオロエチレン（４フッ化エチレン）等のフッ化炭素樹脂で形成されている。
【００２６】
還元電極１４では、後述するように、水素イオンの還元反応が行われる。還元電極１４は、上記構成を有することで、通気防水シートを介して容器１１の外部から酸素を取り込み、燃料溶液１２中を移動してきた水素イオンと、酸化電極１３から送られてきた電子とを反応させて、水を生成するようになっている。
また、還元電極１４には導線１８が接続されており、導線１８の他端には、ペースメーカ等の体内に埋め込まれる医療機器に接続するための接続端子２２が設けられている。
【００２７】
エレクトレット１５は、容器１１の壁体の一部として形成されており、酸化電極１３に対向するように配置されている。エレクトレット１５は、酸化電極１３に対向する面には負電荷の永久帯電が施されており、その裏面には銅等の金属板１６が設けられている。
エレクトレット１５は、アモルファスフッ素樹脂であり、例えば、透明フッ素樹脂を銅板にコーティングした上で、１２０℃の大気中で−６ｋＶ〜−８ｋＶのコロナ放電を施すことで、約−１０００Ｖの負電荷を帯電させることができる。
【００２８】
エレクトレット１５は、対向して配置された酸化電極１３の表面上に静電誘導によって分極を生じさせる。ここで、電荷を帯びた粒子に働く力（クーロン力）は、二つの粒子の電荷の積に比例し、粒子間の距離の二乗に反比例する。したがって、酸化電極１３を効率的に分極させるためには、酸化電極１３とエレクトレット１５とを当接または近傍に配置することが望ましい。
【００２９】
上記構成を有する燃料電池１の作用について以下に説明する。
図２は、酸化電極１３近傍において、分子レベルでの挙動を説明する模式図である。
エレクトレット１５が対向して配置された酸化電極１３の表面では、エレクトレット１５による静電誘導によって、分極が生じる。つまり、酸化電極１３のエレクトレット１５に対向する面（以下「正極面」という。）においては正電荷が生じ、エレクトレット１５の反対面（以下「負極面」という。）においては負電荷が生じる。これにより、図２に示すように、酸化電極１３の正極面には燃料溶液１２中の水酸化物イオン（ＯＨ−）が引き寄せられるとともに、エレクトレット１５および酸化電極１３の負極面には燃料溶液１２中の水素イオン（Ｈ＋）が引き寄せられる。
【００３０】
その結果、酸化電極１３の正極面近傍は、水酸化物イオン（ＯＨ−）がリッチな環境、すなわちアルカリ性の環境となる。この環境において、図３に示すように、炭素（Ｃ）１３ａに固定された金粒子（Ａｕ）１３ｂに水酸化物イオン（ＯＨ−）が付随する。これにより、金粒子（Ａｕ）１３ｂ上の水酸基にグルコースのアルデヒド基が吸着し、以下の反応が進行する。
グルコース（Ｃ６Ｈ１２Ｏ６）→グルコノラクトン（Ｃ６Ｈ１０Ｏ６）＋２Ｈ＋＋２ｅ−−２３０ｋＪ／ｍｏｌ
【００３１】
すなわち、酸化電極１３では、燃料であるグルコース（Ｃ６Ｈ１２Ｏ６）が酸化され、電子（ｅ−）を放出してグルコノラクトン（Ｃ６Ｈ１０Ｏ６）に変化する。このとき、グルコースの還元作用を有するアルデヒド基が、酸化電極１３に吸着した水酸基との間で電子移動を生じることで、電子の放出が生じ、グルコースが酸化される。
【００３２】
一方、還元電極１４では、以下の反応式に示すように、酸化電極１３で生成されて導線１７，１８および図示しない医療機器を介して流れてきた電子と、通気防水シートを透過してきた酸素（Ｏ２）と、燃料溶液１２中を移動してきた水素イオン（Ｈ＋）とが反応して、水（Ｈ２Ｏ）が生成される。
１／２Ｏ２＋２Ｈ＋＋２ｅ−→Ｈ２Ｏ
これにより、燃料電池１は電池として機能し、端子２１，２２に接続されたペースメーカ等の医療機器は、燃料電池１から電気エネルギーを取り出すことができる。
【００３３】
以上のように、本実施形態に係る燃料電池１によれば、容器１１内の電解質溶液に溶解されたグルコース等の糖は、酸化電極１３において、表面に固定された金、銀、白金等の貴金属を触媒として、電子を放出するともに、水素イオンを生成する（酸化）。酸化電極１３に放出された電子は、酸化電極１３と還元電極１４とを電気的に接続する導線１７，１８を通って、還元電極１４に送られる。生成された水素イオンは、容器１１内の燃料溶液１２中を還元電極１４近傍に移動する。これにより、還元電極１４において、燃料溶液１２中を移動してきた水素イオンと、酸化電極１３から送られてきた電子と、通気防水シートを透過してきた酸素とが反応して、水が生成される（還元）。上記のように、酸化電極１３において酸化が行われるともに、還元電極１４において還元が行われることで、発電が行われ、これら電極に電気的に接続されたペースメーカ等の機器に電力を供給することができる。
【００３４】
この場合において、エレクトレット１５が対向して配置された酸化電極１３の表面では、エレクトレット１５による静電誘導によって、エレクトレット１５側の正極面においては正電荷が生じ、エレクトレット１５と反対側の負極面においては負電荷が生じる。エレクトレット１５側の正極面には、静電誘導によって電解質溶液中の水酸化物イオンが集まる。これにより、金属触媒に水酸基を結合させ、糖の酸化反応を促進することができる。
【００３５】
したがって、本実施形態に係る燃料電池１によれば、電解質溶液をアルカリ性にしないでも、効率的にグルコース等の糖を酸化して発電を行うことができる。これにより、燃料溶液１２を中性あるいは弱酸性とすることができ、仮に生体内に埋め込まれた容器１１から燃料溶液１２が漏洩した場合にも、生体へのダメージを小さくすることができる。
【００３６】
また、容器１１の壁面に通気防水シートを備えることで、通気防水シートを介して容器１１内に酸素を供給することができ、還元電極１４における水素イオンと電子と酸素との反応（還元反応）を促進することができ、効率的に発電を行うことができる。
具体的には、通気防水シートを、例えば４フッ化エチレン等のフッ化炭素樹脂で形成することで、容器１１内からの燃料溶液１２の漏洩を防止しつつ、容器１１内へ酸素を供給して、還元電極１４における還元反応を促進することができる。
【００３７】
なお、容器１１の壁体をフッ化炭素樹脂で形成し、容器１１の壁体を局所的に薄く形成することとしてもよい。
このようにすることで、容器１１内からの燃料溶液１２の漏洩を防止しつつ、容器１１内の還元電極１４へ酸素の供給量を増加させることができ、還元電極１４における還元反応、すなわち発電の効率を向上することができる。また、容器１１と通気部との界面を無くすことができ、容器１１を生体に埋め込んだ際の安全性を向上することができる。
【００３８】
また、通気性および防水性を有する還元電極１４を、容器１１の壁面の一部として形成してもよい。このようにすることで、容器１１外から還元電極１４を通過してきた酸素を還元反応に用いることができ、効率的に発電を行うことができる。
【００３９】
［第２の実施形態］
次に、本発明の第２の実施形態に係る燃料電池２について図面を参照して説明する。本実施形態の説明において、第１の実施形態に係る燃料電池１と共通する点については説明を省略し、異なる点について主に説明する。
本実施形態に係る燃料電池２が第１の実施形態に係る燃料電池１と異なる点は、エレクトレットを酸化電極とは別途に設けるのではなく、酸化電極に粉末状のエレクトレットを固定させた点である。
【００４０】
本実施形態に係る燃料電池２は、図４に示すように、電解質溶液および糖を収容する容器１１と、容器１１内に配置された酸化電極（第１の電極）２３と、容器１１の壁体の一部として形成された還元電極（第２の電極）１４と、酸化電極２３に固定された粉末状のエレクトレット（誘電体）２５とを備えている。
【００４１】
酸化電極２３は、吸水性のある多孔質炭素繊維に、直径数ｎｍの金粒子を固定化して構成されている。また、酸化電極２３は、金または金メッキされた金属によって構成してもよい。また、酸化電極２３は、白金や銅等の粒子を固定化して構成することとしてもよい。
【００４２】
エレクトレット２５は、負電荷の永久帯電を施された誘電体であり、微細な粉体または、微細な繊維状に形成され、酸化電極２３の炭素２３ａおよび金粒子２３ｂと接触自在に構成されている。なお、エレクトレット２５と金粒子２３ｂは密着して良く、エレクトレット２５と炭素２３ａも密着して良い。すなわち、金粒子２３ｂは、負帯電のエレクトレット２５に対して、直接接触でも正電位を有するとともに、炭素２３ａを介して間接的に接触しても正電位を有しており、水酸化物イオンを誘引できるようになっている。
【００４３】
上記構成を有する燃料電池２の作用について以下に説明する。
図５は、酸化電極２３近傍において、分子レベルでの一連の挙動を説明する模式図である。
図５に示すように、粉末状のエレクトレット２５が固定された酸化電極２３の表面では、エレクトレット２５による静電誘導によって、局所的に電位の偏りが生じる。つまり、エレクトレット２５においては負電荷が生じ、エレクトレット２５から離れた位置（図５においてエレクトレット２５から距離ｄ離れた位置）においては正電荷が生じる。これにより、図５に示すように、エレクトレット２５には水素イオン（Ｈ＋）が引き寄せられるとともに、エレクトレット２５から離れた位置には燃料溶液１２中の燃料溶液１２中の水酸化物イオン（ＯＨ−）が引き寄せられる。
【００４４】
その結果、エレクトレット２５から離れた位置では、水酸化物イオン（ＯＨ−）がリッチな環境、すなわちアルカリ性の環境となる。この環境において、炭素（Ｃ）２３ａに固定された金粒子（Ａｕ）２３ｂに、引き寄せられた水酸化物イオン（ＯＨ−）が付随する。これにより、金粒子（Ａｕ）２３ｂ上の水酸基にグルコースのアルデヒド基が吸着し、以下の反応が進行する。
グルコース（Ｃ６Ｈ１２Ｏ６）→グルコノラクトン（Ｃ６Ｈ１０Ｏ６）＋２Ｈ＋＋２ｅ−−２３０ｋＪ／ｍｏｌ
【００４５】
すなわち、酸化電極２３では、燃料であるグルコース（Ｃ６Ｈ１２Ｏ６）が酸化され、電子（ｅ−）を放出してグルコノラクトン（Ｃ６Ｈ１０Ｏ６）に変化する。このとき、グルコースの還元作用を有するアルデヒド基が、酸化電極２３に吸着した水酸基との間で電子移動を生じることで、電子の放出が生じ、グルコースが酸化される。
【００４６】
一方、還元電極１４では、以下の反応式に示すように、酸化電極２３で生成された電子と、容器１１外部から供給された酸素（Ｏ２）と、燃料溶液１２中を移動してきた水素イオン（Ｈ＋）とを反応させて、水（Ｈ２Ｏ）を生成する。
１／２Ｏ２＋２Ｈ＋＋２ｅ−→Ｈ２Ｏ
これにより、燃料電池２は電池として機能し、酸化電極２３と還元電極１４に接続されたペースメーカ等の医療機器は、燃料電池２から電気エネルギーを取り出すことができる。
【００４７】
以上のように、本実施形態に係る燃料電池２によれば、容器１１内の電解質溶液に溶解されたグルコース等の糖は、酸化電極２３において、表面に固定された金、銀、白金等の貴金属を触媒として、電子を放出するともに、水素イオンを生成する（酸化）。酸化電極２３に放出された電子は、酸化電極２３と還元電極１４とを電気的に接続する配線を通って、還元電極１４に送られる。生成された水素イオンは、容器１１内の燃料溶液１２中を還元電極１４近傍に移動する。これにより、還元電極１４において、燃料溶液１２中を移動してきた水素イオンと、酸化電極２３から送られてきた電子と、容器１１外部から供給された酸素とが反応して、水が生成される（還元）。上記のように、酸化電極２３において酸化が行われるともに、還元電極１４において還元が行われることで、発電が行われ、これら電極に電気的に接続されたペースメーカ等の機器に電力を供給することができる。
【００４８】
この場合において、粉末状のエレクトレット２５が固定された酸化電極２３の表面には、エレクトレット２５による静電誘導によって、部分的に正電荷および負電荷が生じる。正電荷が生じた部分には、静電誘導によって燃料溶液１２中の水酸化物イオンが集まる。これにより、金属触媒に水酸基を結合させ、糖の酸化反応を促進することができる。
【００４９】
したがって、本実施形態に係る燃料電池２によれば、燃料溶液１２をアルカリ性にしないでも、効率的にグルコース等の糖を酸化して発電を行うことができる。これにより、燃料溶液１２を中性あるいは弱酸性とすることができ、仮に生体内に埋め込まれた容器１１から燃料溶液１２が漏洩した場合にも、生体へのダメージを小さくすることができる。
【００５０】
以上、本発明の実施形態について図面を参照して詳述してきたが、具体的な構成はこの実施形態に限られるものではなく、本発明の要旨を逸脱しない範囲の設計変更等も含まれる。
例えば、各実施形態において、還元電極１４は、容器１１の壁体の一部として形成されているとして説明したが、酸素を取り込めればよい。すなわち、還元電極１４は、容器１１の壁体の少なくとも一部を通気性および防水性を有する材料で構成すれば、容器１１の壁体に当接させてもよいし、容器１１の内部に配置することとしてもよい。
【００５１】
また、エレクトレット１５，２５は、例えば、酸化ジルコニウム、オリゴマー、変性シリコーン、パラキシリレン、パーフルオロブテルビニルエーテルポリマーから構成することとしてもよい。
また、エレクトレット１５，２５は、エレクトレット化可能な多孔質フィルムから構成してもよく、例えば、ポリテトラフルオロエチレン（ＰＴＦＥ）、テトラフルオロエチレン−パーフルオロアルキルビニルエーテル共重合体、テトラフルオロエチレン−ヘキサフルオロプロピレン共重合体、エチレン−テトラフルオロエチレン共重合体、ポリフッ化ビニリデン、ポリクロロトリフルオロエチレン、ポリプロピレン、ポリエチレン、ポリ４メチル１ペンテン、ポリ３メチル１ブテン、ポリカーボネート、ポリエチレンテレフタレート等から構成することとしてもよい。なお、この多孔質フィルムの厚さ等は適宜設定できるが、厚さ約５〜５００μｍ、孔径約０．１〜１０μｍ、気孔率約７０〜９５％のものが好適である。
【符号の説明】
【００５２】
１，２  燃料電池
１１  容器
１２  燃料溶液
１３，２３  酸化電極（第１の電極）
１４  還元電極（第２の電極）
１５，２５  エレクトレット（誘電体）
【図１】
2011086531.tif 000003
【図２】
2011086531.tif 000004
【図３】
2011086531.tif 000005
【図４】
2011086531.tif 000006
【図５】
2011086531.tif 000007